(57)【要約】【課題】着衣に付着した高薬理活性物質などが更衣の際に再飛散して経口経路から吸引してしまうリスクや粉体を外部雰囲気に漏出させることを防止するための吸引除去装置の提供。【解決手段】閉鎖された室内において人の着衣に付着している粉体を吸引除去するための吸引除去装置であって、前記吸引除去装置が、吸引装置と、フィルタとしてＨＥＰＡが内蔵された、吸引部を有する吸引ヘッドを備え、前記吸引装置と前記吸引ヘッドが可撓性チューブで接続されているものであり、前記吸引ヘッドの吸引部が、前記吸引部を閉塞するためのキャップを有しており、前記吸引ヘッドと前記可撓性チューブの接続部分が着脱自在になっており、前記吸引装置が室外または室内に設置され、前記吸引ヘッドと前記可撓性チューブの一部が室内に配置されている吸引除去装置。【選択図】なし【特許請求の範囲】
【請求項１】
閉鎖された室内において人の着衣に付着している粉体を吸引除去するための吸引除去装置であって、
前記吸引除去装置が、吸引装置と、フィルタとしてＨＥＰＡが内蔵された、吸引部を有する吸引ヘッドを備え、前記吸引装置と前記吸引ヘッドが可撓性チューブで接続されているものであり、
前記吸引ヘッドの吸引部が、前記吸引部を閉塞するためのキャップを有しており、
前記吸引ヘッドと前記可撓性チューブの接続部分が着脱自在になっており、
前記吸引装置が室外または室内に設置され、前記吸引ヘッドと前記可撓性チューブの一部が室内に配置されている、吸引除去装置。
【請求項２】
前記吸引ヘッドが、筐体と前記筐体内に収容されたＨＥＰＡを有しており、前記可撓性チューブとの接続部分から脱離されて廃棄できるようになっているものであり、
前記筐体が、筒状周壁部と、前記筒状周壁部の第１開口部を閉塞する、吸引部を有する第１底面部と、前記筒状周壁部の第２開口部を閉塞する、前記可撓性チューブと接続された第２底面部を有するものであり、
前記ＨＥＰＡが、前記筐体の筒状周壁部の内側面に密着されることで、前記第１底面部と前記第２底面部の間の空気の移動を確保し、かつ粉体の移動を遮断しているものである、請求項１記載の吸引除去装置。
【請求項３】
前記筐体が、塩素を含有しない樹脂、紙、およびこれらの組み合わせから選ばれるものからなるものである、請求項１または２記載の吸引除去装置。
【請求項４】
前記吸引ヘッドの吸引部のキャップが、着脱自在なものであるかまたは固着可能なものである、請求項１〜３のいずれか１項記載の吸引除去装置。
【請求項５】
前記粉体が、医薬原料および農薬原料を含む高薬理活性物質である、請求項１〜４のいずれか１項記載の吸引除去装置。
【請求項６】
請求項１〜５のいずれか１項記載の吸引除去装置を使用した、閉鎖された室内において人の着衣に付着している粉体を吸引除去するための吸引除去方法であって、
使用者が前記吸引装置を作動させる操作をする手順１、
使用者が前記吸引ヘッドの吸引部を近づけることで、着衣に付着した粉体を吸引除去する手順２、
粉体の吸引除去が終了したとき、前記吸引装置の吸引力を低下させる操作をする手順３、
前記吸引装置の吸引力が低下した後で前記吸引ヘッドの吸引部にキャップを被せて閉塞した後、前記吸引装置を停止させる手順４、
を有している、人の着衣に付着している粉体を吸引除去するための吸引除去方法。
【請求項７】
手順３における前記吸引装置の吸引力の低下レベルが、手順２における粉体の吸引除去時の吸引力の５０％以下である、請求項６記載の人の着衣に付着している粉体を吸引除去するための吸引除去方法。
【請求項８】
請求項１〜５のいずれか１項記載の吸引除去装置を使用した、閉鎖された室内において人の着衣に付着している粉体を吸引除去するための吸引除去システムであって、
前記粉体が存在している作業室と外部雰囲気とを連絡する出口通路が、それぞれが閉鎖された少なくとも第１室、第２室および第３室に分離されており、
前記作業室と前記第１室、前記第１室と前記第２室、前記第２室と前記第３室、および前記第３室と前記外部雰囲気のそれぞれが開閉扉で閉鎖および連絡が可能にされているものであり、
前記第１室が、空調設備を備えた、シャワー室または前記第２室に入る前の準備室であり、
前記第２室が、請求項１〜５のいずれか１項記載の吸引除去装置を備えた粉体の吸引除去室であり、
前記第３室が、前記外部雰囲気に出るための準備室である、閉鎖された室内において人の着衣に付着している粉体を吸引除去するための吸引除去システム。
【請求項９】
前記作業室と前記第１室が、前記作業室内の圧力が前記第１室の圧力よりも低くなるように調整されており、
前記第３室と前記外部雰囲気が、前記第３室の圧力が前記外部雰囲気の大気圧よりも高くなるように調整されており、
前記第１室および前記第２室と前記第３室が、前記第１室および前記第２室の圧力が前記第３室の圧力よりも低くなるように調整されている、請求項８記載の閉鎖された室内において人の着衣に付着している粉体を吸引除去するための吸引除去システム。
【請求項１０】
前記作業室が、医薬原料および農薬原料を含む高薬理活性物質を使用する医薬または農薬の製造空間である、請求項８または９記載の閉鎖された室内において人の着衣に付着している粉体を吸引除去するための吸引除去システム。
【請求項１１】
請求項８〜１０のいずれか１項記載の閉鎖された室内において人の着衣に付着している粉体を吸引除去するための吸引除去システムを使用した、人の着衣に付着している粉体の吸引除去方法であって、
前記作業室内にて作業用上着を着用していた作業員が、前記作業室と前記第１室の間の開閉扉を開けて前記第１室に入ったあと、前記開閉扉を閉めて第１室を閉鎖する手順Ａ、
次に、前記第１室がエアシャワー室であるときは、エアシャワーを浴びた後、エアシャワーを停止して、飛散した粉体を空調設備で捕捉する手順Ｂ、または前記第１室がミストシャワー室であるときは、ミストシャワーを浴びた後、ミストシャワーを停止して、飛散した粉体と衣服に付着した粉体を湿潤させて再飛散させないようにする手順Ｂ、
次に、前記第１室と前記第２室の間の開閉扉を開けて前記第２室に入ったあと、前記開閉扉を閉めて第２室を閉鎖する手順Ｃ、
次に、前記第２室にて、請求項１〜５のいずれか１項記載の吸引除去装置を使用して作業用上着に付着した粉体を吸引除去した後、前記作業用上着を脱衣する手順Ｄ、
次に、前記第２室と前記第３室の間の開閉扉を開けて前記第３室に入ったあと、前記開閉扉を閉めて前記第３室を閉鎖する手順Ｅ、
次に、前記第３室から外部雰囲気に出る準備をした後、前記第３室と前記外部雰囲気の間の開閉扉を開けて大気圧下の外部雰囲気に出た後、前記開閉扉を閉める手順Ｆ、
を有している、吸引除去システムを使用した人の着衣に付着している粉体の吸引除去方法。
【発明の詳細な説明】
【技術分野】
【０００１】
本発明は、高薬理活性物質などの粉体を吸引除去するための吸引除去装置、前記吸引除去装置を使用した粉体の吸引除去方法、前記吸引除去装置を使用した吸引除去システム、前記吸引除去システムを使用した吸引除去方法に関する。
【背景技術】
【０００２】
医薬や農薬などの製造現場（クリーンルーム）では、高薬理活性物質である医薬原料や農薬原料を使用するため、作業者がハザード物質となる高薬理活性物質のばく露を受けたときの健康障害の問題や、高薬理活性物質が外部に漏れ出たときの環境汚染の問題がある。
製造現場におけるハザード物質の許容量ＯＥＬ（Occupational Exposure Limit：許容ばく露限界）は、カテゴリー１〜カテゴリー６などに区分されており（国際製薬技術協会［ISPE］日本支部の発表による）、最も厳しいカテゴリー６に対応するよう求められることが増加している。
【０００３】
このように製造現場をＯＥＬにより管理した場合でも、作業員の高薬理活性物質のばく露を完全に防ぐことはできないため、製造現場から外部への出口までの退出経路においてばく露を受けた衣服に付着した高薬理活性物質を取り除いて、更衣の際に再飛散して作業員が経口経路から吸引するリスクを低減することと、高薬理活性物質が外部に漏れ出ないようにすることが必要になる。
特許文献１の発明は、クリーンルームの出入口用のエアカーテンを使用した防塵装置の発明である。
特許文献２の発明は、半導体製造工場に適したクリーンルームの出入口に設置されたエアシャワー装置の発明である。
【先行技術文献】
【特許文献】
【０００４】
【特許文献１】特開２００３−７４９３１号公報
【特許文献２】特開２００７−１３９４２０号公報
【発明の概要】
【発明が解決しようとする課題】
【０００５】
本発明は、高薬理活性物質などの粉体の吸引除去性能が優れている、高薬理活性物質などの粉体を吸引除去するための吸引除去装置、前記吸引除去装置を使用した粉体の吸引除去方法、前記吸引除去装置を使用した吸引除去システム、前記吸引除去システムを使用した吸引除去方法を提供することを課題とする。
【課題を解決するための手段】
【０００６】
本発明は、閉鎖された室内において人の着衣に付着している粉体を吸引除去するための吸引除去装置であって、
前記吸引除去装置が、吸引装置と、フィルタとしてＨＥＰＡが内蔵された、吸引部を有する吸引ヘッドを備え、前記吸引装置と前記吸引ヘッドが可撓性チューブで接続されているものであり、
前記吸引ヘッドの吸引部が、前記吸引部を閉塞するためのキャップを有しており、
前記吸引ヘッドと前記可撓性チューブの接続部分が着脱自在になっており、
前記吸引装置が室外または室内に設置され、前記吸引ヘッドと前記可撓性チューブの一部が室内に配置されている、吸引除去装置と、それを使用した粉体の吸引除去方法を提供する。
【０００７】
また本発明は、上記の吸引除去装置を使用した、閉鎖された室内において人の着衣に付着している粉体を吸引除去するための吸引除去システムであって、
前記粉体が存在している作業室と外部雰囲気とを連絡する出口通路が、それぞれが閉鎖された少なくとも第１室、第２室および第３室に分離されており、
前記作業室と前記第１室、前記第１室と前記第２室、前記第２室と前記第３室、および前記第３室と前記外部雰囲気のそれぞれが開閉扉で閉鎖および連絡が可能にされているものであり、
前記第１室が、空調設備を備えた、シャワー室または前記第２室に入る前の準備室であり、
前記第２室が、上記の吸引除去装置を備えた粉体の吸引除去室であり、
前記第３室が、前記外部雰囲気に出るための準備室である、閉鎖された室内において人の着衣に付着している粉体を吸引除去するための吸引除去システムを提供する。
【発明の効果】
【０００８】
本発明の吸引除去装置とそれを使用した吸引除去方法によれば、着衣に付着した高薬理活性物質などの粉体が更衣の際に再飛散して経口経路から吸引するリスクを低減することと、外部雰囲気に漏出させることを防止することができる。
本発明の吸引除去システムとそれを使用した粉体の吸引除去方法によれば、医薬や農薬などの製造現場において着衣に付着した高薬理活性物質などの粉体が更衣の際に再飛散して経口経路から吸引するリスクを低減することと、外部雰囲気に漏出させることを防止することができる。
【図面の簡単な説明】
【０００９】
【図１】本発明の粉体の吸引除去装置の説明図。
【図２】（ａ）は吸引ヘッドの断面図、（ｂ）は（ａ）の別実施形態の部分断面図。
【図３】本発明の吸引除去システムの説明図。
【発明を実施するための形態】
【００１０】
（１）粉体の吸引除去装置
本発明における除去対象となる粉体は、人体（作業員）の健康や周囲環境に悪影響を与えるものであり、医薬原料、農薬原料、その他の化学物質を含む高薬理活性物質の粉体である。
なお、前記粉体と共に浮遊している塵埃自体は高薬理活性物質ではないが、塵埃のみを分離することは不可能であるから、高薬理活性物質と塵埃が互いに付着している場合も含めて、単独で浮遊している塵埃も必然的に除去対象となる。
【００１１】
図１に示す吸引除去装置１は、吸引装置１０と、吸引ヘッド２０と、吸引装置１０と吸引ヘッド２０を接続する可撓性チューブ３０を有している。
図１では、吸引装置１０は室外に設置されているが、室内に設置されていてもよい。
室外に吸引装置１０を設置するときは、可動式または据え置き式のいずれでもよいが、車輪などを備えた可動式のものが好ましい。
室内に吸引装置１０を設置するときは、持ち運びできる小型のものを使用することができる。
図１の吸引装置１０を室外置きにした実施形態では、吸引除去室５０内に吸引ヘッド２０と可撓性チューブ３０の一部が存在した状態が示されている。可撓性チューブ３０は、吸引除去室５０の壁５４の貫通孔を通して屋外の吸引装置１０に接続されている。可撓性チューブ３０と前記貫通孔の隙間は、非通気状態になるように閉塞されている。
吸引装置１０を室内置きにしたときは、吸引装置の排気はそのまま室内に排出されることになるが、粉体は吸引ヘッド２０で捕捉されるため、排気は清浄なものである。
【００１２】
吸引装置１は、吸引力が多段階もしくは無段階で調整できるものが好ましく、市販の吸引装置を使用することができる。市販の吸引装置の機能としては、回転数制御のためのインバータや段階制御を備えた吸引装置などを使用することができる。
【００１３】
吸引ヘッド２０は、図１では台５５の上に置かれた状態で示されているが、壁５２に掛けられた状態であってもよいし、伸縮自在なマジックハンドまたはワイヤなどで天井５１から吊り下げられた状態であってもよい。
吸引ヘッド２０は、図２に示すとおり、筐体２１内部にＨＥＰＡ３５が収容されたものである。
筐体２１の幅方向の断面形状は、円形、楕円形、四角形などにすることができる。
筐体２１は、塩素を含有しない樹脂（熱可塑性樹脂または熱硬化性樹脂）、紙、およびこれらの組み合わせから選ばれるものからなるものが、使用後に焼却処理する観点から好ましい。
筐体２１は、筒状周壁部２２と、筒状周壁部２２の第１開口部を閉塞する第１底面部２３と、筒状周壁部２２の第２開口部を閉塞する第２底面部２４を有している。
筐体２１の筒状周壁部２２の外側面には、使用者が片手または両手で持ちやすくなるように、一つまたは二つの持ち手が取り付けられていてもよい。
【００１４】
第１底面部２３には、吸引口２６ａを有する吸引部２６が接続されており、吸引部２６は筐体２１の内部と連通されている。
吸引部２６には、テザー２８で繋がれたキャップ２７が接続されている。キャップ２７は、吸引部２６の吸引口２６ａを閉塞できる大きさおよび形状のものである。
キャップ２７と吸引口２６ａは、着脱自在にできる嵌め込み方式が好ましい。例えばキャップ２７の内側面に凹部を形成し、吸引部２６（吸引口２６ａ）の外側面に凸部を形成して、吸引口２６ａにキャップ２７を被せたとき、キャップ２７の内側面の凹部と吸引口２６ａの外側面の凸部が互いに嵌まり込むようにすることもできる。
また、吸引口２６ａとキャップ２７は、キャップ２７を吸引口２６ａに被せたとき、それぞれの接触部分のいずれか一方または両方に粘着剤層を形成することもできる。前記のように粘着剤層が形成されている実施形態であると、キャップ２７で吸引口２６ａを一度閉塞すると固着されて外すことができなくなる。
【００１５】
第２底面部２４には、可撓性チューブ３０が接続されている。
図２（ａ）では、第２底面部２４の中心部から外側に突き出された環状部２５内に可撓性チューブ３０が接続されている。可撓性チューブ３０は、ゴムまたは樹脂からなるものである。
環状部２５と可撓性チューブ３０の接続部分は着脱自在になっており、ねじ込み方式または嵌め込み方式、へルール継手などにすることができる。
【００１６】
ＨＥＰＡ(High Efficiency Particulate Air Filter)は、ＪＩＳ規格（JIS Z8122）にて「定格流量で粒径が０．３μ\ochmの粒子に対して９９．９７％以上の粒子捕集率を持ち、かつ初期圧力損失が２４５Ｐａ以下の性能を持つフィルタ」と規定されているものである。本発明では、ＨＥＰＡと同程度の性能を有する他のフィルタを使用することもできる。
ＨＥＰＡ３５の外部形状は、筐体２１の内部形状と大きさおよび形状が一致しているものであり、ＨＥＰＡ３５の外周面３５ａは筒状周壁部２１の内周面２１ａとショートパスなどリークの原因を防ぐ目的で密着されている。
ＨＥＰＡ３５の外周面３５ａは筒状周壁部２１の内周面２１ａとの接触部分の密着度を高めるため、境界面にシール材（接着剤を含む）を介在させることもできる。
また図２（ｂ）に示すとおり、筒状周壁部２１の内周面２１ａの一部にＨＥＰＡ３５の外部形状に対応した環状凹部２１ｂを形成して、環状凹部２１ｂにＨＥＰＡ３５を嵌め込むこともできる。図２（ｂ）の実施形態においても、環状凹部２１ｂとＨＥＰＡ３５の外周面３５ａの境界面にはシール材（接着剤を含む）を介在させることができる。
【００１７】
（２）粉体の吸引除去方法
次に人の着衣に付着している粉体の吸引除去装置１を使用した粉体の吸引除去方法を図１、図２により説明する。
以下においては、前記粉体が医薬原料および農薬原料を含む高薬理活性物質である場合により説明するが、既に説明したとおり、塵埃も除去対象となる。
【００１８】
閉鎖可能な吸引除去室５０は、通常の建物と同様に天井５１、壁５２、床５３を有して、壁５２には開閉扉５４が形成されている。図１には開閉扉５４は一つだけであるが、入口と出口となる二つの開閉扉を備えている。吸引除去室５０内は、粉体の流入および流出を防止するため、入口側に連絡された別室よりも低い圧力に維持され、出口側に連絡された別室または屋外よりも低い圧力に維持される。
図１に示すように吸引装置１０が室外置きの形態では、吸引装置１０は吸引除去室５０の外に設置され、吸引ヘッド２０と可撓性チューブ３０の一部が吸引除去室５０内に配置されている。
吸引装置１０が室内置きの形態では、吸引装置１０は吸引除去室５０の床に置かれているが、使用者が操作をし易くするため、別途設けた台上に置かれていてもよい。
【００１９】
手順１において、使用者が吸引装置１０を作動させる操作をする。
例えば、使用者は吸引除去室５０の開閉扉５４を開けて内部に入り、開閉扉５４を閉めた後、室内に設けられている操作盤の作動スイッチを押して、吸引装置１０を起動させる。
このとき、壁５２などに吸引装置１０を作動させるためのセンサーを取り付けておき、使用者がセンサーに近づくと自動的に吸引装置１０が作動されるようにしてもよい。
吸引装置１０が室内置きの形態では、吸引装置１０の操作盤を直接操作することになる。
【００２０】
手順２において、使用者が吸引ヘッド２０の吸引部２６を近づけることで、着衣に付着した粉体を吸引除去する。
このとき、例えば吸引ヘッド２０が伸縮自在なマジックハンドまたはワイヤなどで天井５１から吊り下げられた状態であると、軽い力で容易に取り扱うことができるので好ましい。
なお、医薬製造などのクリーンルームでは、衣服の上に白衣や無塵衣を着ているため、ここでいう「着衣」は「白衣」や「無塵衣」などを意味することになる。
【００２１】
着衣に付着している粉体を吸引ヘッド２０により吸引したとき、粉体は筐体２１内の第１空間２９ａからＨＥＰＡ３５に入って吸着保持されるため、第２空間２９ｂに入ることはなく、可撓性チューブ３０内にも入ることはない。
【００２２】
手順３において、粉体の吸引除去が終了したとき、吸引装置１０の吸引力を低下させる操作をする。
吸引力の低下は、室内に設けられている操作盤の作動スイッチにより操作する。吸引装置１０が室内置きの形態では、吸引装置１０の操作盤を直接操作することになる。
手順３における吸引装置１０の吸引力の低下レベルは、手順２における粉体の吸引除去時の吸引力の５０％以下であることが好ましい。
【００２３】
手順４において、吸引装置１０の吸引力が低下した後で吸引ヘッド２０の吸引口２６ａにキャップ２７を被せて閉塞した後、吸引装置１０を停止させる。吸引力を下げることで締切運転による筐体２２の破損を回避することができる。
手順４において、手順３を省略して、吸引装置１０を停止した後で吸引口２６ａにキャップ２７を被せようとしたときは、吸引装置１０を停止してから吸引口２６ａにキャップ２７を被せるまでの間に、筐体２１内の粉体を含む空気が吸引口２６ａから吸引除去室５０内に逆流して、使用者に粉体を浴びせるおそれがあるため、手順３と手順４の組み合わせは必要である。
また、吸引部２６にセンサーを取り付けておき、吸引部２６にキャップ２７を近づけると自動的に吸引装置１０の吸引力が低下され、キャップ２７を完全に被せたとき、吸引装置１０が停止されるようにしてもよい。
【００２４】
本発明の吸引除去方法で使用した吸引ヘッド２０は、ＯＥＬのカテゴリーなどを目安として、使用の制限回数を決定することができる。
使用の制限回数に到達したときは、吸引ヘッド２０と可撓性チューブ３０を外し、吸引ヘッド２０は廃棄・焼却処分する運用とし、使い回さないことで、フィルタエレメント交換作業によるばく露リスクの回避と周囲環境への悪影響を防止することができる。
【００２５】
（３）吸引除去システム
本発明の吸着除去システムは、上記の吸引除去装置を使用した、閉鎖された室内において人の着衣に付着している粉体を吸引除去するためのものである。
【００２６】
図３に示す吸着除去システム100は、粉体が存在している作業室110と外部雰囲気150とを連絡する退出通路が、それぞれが閉鎖された少なくとも第１室120、第２室130および第３室140に分離されたものであり、第１室120から第３室140までが含まれる。
なお、作業室110を含む状況に応じて４室以上にすることもできる。例えば、作業室110で特に活性の高い物質を使用するときは、第２室130と第３室140の間にエアロックを追加して４室にすることができる。
作業室110は、例えば医薬製造現場のクリーンルームなどである。作業員８０は無塵衣８１、帽子８２、手袋８３のほか、マスクを着用している状態が示されている。以下、無塵衣８１、帽子８２、手袋８３、マスクを含めて「無塵衣８１など」とする。
外部雰囲気150は、大気圧下の廊下や屋外または他の建物を意味する。
【００２７】
第１室120は、作業室110と開閉扉121で閉鎖および連絡可能にされている。
第１室120は、空調設備を備えた、エアシャワー室、ミストシャワー室、緊急シャワー室または第２室130に入る前の準備室である。
緊急シャワー室は、作業員の粉体や液体含めた化学物質へのばく露状態が重篤である場合に使用するものであり、通常は除去システム100とは別室に設けることができるが、緊急事態も想定して除去システム100にも設けることができる。
エアシャワー室、ミストシャワー室または緊急シャワー室にするときは、壁面や天井（図３では壁面）にエアシャワーまたはミストシャワー122が設置されている。
準備室にするときは、何も設置されていなくてもよい。
第１室120と作業室110は、作業室110内に浮遊する粉体が第１室120内に流入しないようにするため、作業室110内の圧力が第１室120の圧力よりも低くなるように調整されている。
【００２８】
第２室130は、図１に示した吸引除去装置１を備えた閉鎖可能な吸引除去室５０をそのまま使用できるほか、必要に応じて第１室110および第３室130と関連づけて改修などした後、使用することができる。
第２室130と第１室120は、開閉扉131で閉鎖および連絡可能にされている。
第１室120と第２室130の圧力は、第２室130の圧力を低くし、第１室120に異物などが流入しないように設計してもよいし、第１室120の圧力が低くして、高活性物質が常に製造室側に流れるように設計してもよい。
【００２９】
第３室140は、外部雰囲気150に出るための準備室である。
第３室140と第２室130は開閉扉141で閉鎖および連絡可能にされ、外部雰囲気150と第３室140は開閉扉151で閉鎖および連絡可能にされている。
第３室140と外部雰囲気150は、第３室140の圧力が外部雰囲気150の大気圧よりも高くなるように調整されている。
【００３０】
（４）吸引除去システムを使用した粉体の吸引除去方法
本発明の吸引除去システムを使用した粉体の吸引除去方法を図３、図１、図２により説明する。
以下においては、高薬理活性物質を扱うクリーンルーム110から外部雰囲気150まで退出する実施形態について説明する。各手順は、複数の手順をまとめて一つの手順として実施することもできる。
なお、第２室130は、図１に示した吸引除去装置１を備えた閉鎖可能な吸引除去室５０をそのまま使用したものとして説明する。
【００３１】
手順Ａでは、クリーンルーム110内にて無塵衣８１などを着用していた作業員８０は、クリーンルーム110と第１室120の間の開閉扉121を開けて第１室120に入ったあと、開閉扉121を閉めて第１室120を閉鎖する。
【００３２】
次の手順Ｂでは、第１室120がエアシャワー室であるときは、エアシャワー122を浴びた後、エアシャワー122を停止して、飛散した粉体を空調設備で捕捉する。
また次の手順Ｂでは、第１室120がミストシャワー室であるときは、ミストシャワー122を浴びた後、ミストシャワー122を停止して、飛散した粉体と無塵衣８１などに付着した粉体を湿潤させて再飛散させないようにする。
第１室120がエアシャワー、ミストシャワーなどがない準備室であるときは何もしない。
各室の空調設備のフィルタとしてＨＥＰＡを使用することができる。
【００３３】
次の手順Ｃでは、第１室120と第２室130（吸引除去室５０）の間の開閉扉131を開けて第２室130に入ったあと、開閉扉131を閉めて第２室130を閉鎖する。
【００３４】
次の手順Ｄでは、第２室130にて、吸引除去装置１の吸引ヘッド２０を使用して、無塵衣８１などに付着した粉体を吸引除去した後、無塵衣８１などを脱衣する。
無塵衣８１などに付着していた粉体は吸引除去装置１により吸引除去されており、さらに無塵衣８１などを第２室130にて脱衣するため、粉体が次の第３室140内に入るリスクを充分に低減できる。
第１室120と第２室130の間に脱衣室を追加したときは、第１室120でエアシャワーやミストシャワーを浴びた後、脱衣室にて無塵衣８１などを脱衣した後、第２室130内に入って吸引除去装置１により粉体を除去する。
なお、第２室130（または脱衣室）で脱ぎ捨てた無塵衣８１などは、単一品目を製造する場合は、再利用することもできるし、次工程で別品目を製造する場合や白衣または無塵衣８１などへの粉体の付着が著しく、吸引装置では十分に取り除けていないと判断される場合は廃棄する。
【００３５】
次の手順Ｅでは、第２室130と第３室140の間の開閉扉141を開けて第３室140に入ったあと、開閉扉141を閉めて第３室140を閉鎖する。
【００３６】
最後の手順Ｆでは、第３室140から外部雰囲気150に出る準備をした後、第３室140と外部雰囲気150の間の開閉扉151を開けて外部雰囲気150に出た後、開閉扉151を閉める。
第３室140では、例えばヘルメット８７を被ったり、別の作業着８６を着たりした後、外部雰囲気150に出る。
【００３７】
本発明の吸着除去システムを使用した吸着除去方法は、第１室120、第２室130および第３室140を有しているが、必要に応じてさらに別室を追加することができる。
本発明の吸着除去システムを使用した吸着除去方法は、作業員８０がクリーンルーム110で高薬理活性物質のばく露を少量受けた場合でも、外部雰囲気150に至るまでの間に再飛散による経口経路からの吸引リスクを低減したり、再飛散による室内汚染のリスクを低減したりできるため、作業員８０の健康被害を受ける可能性を大きく引き下げ、外部雰囲気150に対する環境汚染も生じることがない。
【産業上の利用可能性】
【００３８】
本発明の吸引除去装置は、高薬理活性物質を扱う医薬製造現場または農薬製造現場からの退出経路において利用することができる。
【符号の説明】
【００３９】
１  吸引除去装置
１０  吸引装置
２０  吸引ヘッド
３０  可撓性チューブ
【図１】
2018146167.tif 000002
【図２】
2018146167.tif 000003
【図３】
2018146167.tif 000004